(57)【要約】【課題】例えば力が弱い人でも食物に十分に加圧力を作用させて確実に該食物を搾汁作業できるとともに、食物のセッティングや搾汁液を扱いやすく、さらには各部材の洗浄を簡便に行って衛生的に利用できる食物搾り器を提供する。【解決手段】食物を内部に保持して加圧搾汁させる加圧搾汁容器１２と、加圧搾汁容器１２の搾汁を回収する回収容器１４と、加圧搾汁容器１２内の食物を加圧する加圧体１６と、加圧体１６を加圧駆動する加圧駆動装置１８と、を有し、加圧駆動装置１８は、ねじ込み入力により加圧体１６を加圧駆動させるねじ軸３４を備え、ねじ軸３４と加圧体１６とを着脱自在に連結する連結機構２０を有することを特徴とする食物搾り器１０から構成される。ねじ軸３４によるねじ込み入力により、手軽に食物を加圧搾汁できる。【選択図】図１
0003143824.tif 000002
【実用新案登録請求の範囲】
【請求項１】
食物を内部に保持して加圧搾汁させる加圧搾汁容器と、
加圧搾汁容器の搾汁を回収する回収容器と、
加圧搾汁容器内の食物を加圧する加圧体と、
加圧体を加圧駆動する加圧駆動装置と、を有し、
加圧駆動装置は、ねじ込み入力により加圧体を加圧駆動させるねじ軸を備え、
ねじ軸と加圧体とを着脱自在に連結する連結機構を有することを特徴とする食物搾り器。
【請求項２】
連結機構は、ねじ軸の先端と加圧体とに設けられねじ軸の進出により雌雄嵌合状に着脱する雌雄嵌合部からなる請求項１記載の食物搾り器。
【請求項３】
加圧搾汁容器は回収容器に収容されるように一体的に組み付けられており、
回収容器をねじ軸の軸線位置に挿入させる際に、雌雄嵌合部が軸線上に位置するように位置合わせする位置決め機構が設けられた請求項２記載の食物搾り器。
【請求項４】
ねじ軸を軸線方向に進退移動自在に支持するとともに、加圧搾汁容器を収容した回収容器をねじ軸の軸線方向に対して直交方向に挿脱可能な開口を有する支持スタンドを備えた請求項１ないし３のいずれかに記載の食物搾り器。
【請求項５】
加圧搾汁容器と加圧体と回収容器とは、互いに組み付け、分離自在に設けられた請求項１ないし４のいずれかに記載の食物搾り器。
【請求項６】
加圧駆動装置は、ねじ軸をねじ込み回転操作する入力ハンドルが設けられた請求項１ないし５のいずれかに記載の食物搾り器。
【考案の詳細な説明】
【技術分野】
【０００１】
本考案は、例えば、野菜や果実等を加圧して搾汁する食物搾り器に関する。
【背景技術】
【０００２】
従来より手動による押圧力で果実や野菜などを押しつぶしてジュースを製造する手動ジューサが利用されている。例えば、特許文献１記載の手動ジューサは、一側に固定把手を連設した容器体と、容器体内に係止され透孔が形成された中容器体と、基部を容器体の他側に回動自在に連結された作動把手と、作動把手の中間部分に枢結垂下される吊下杆の先端に固定された押圧板と、を備えている。そして、中容器体に果実等を収納し、押圧板を中容器体内に位置合わせしながら作動把手を固定把手側に回動操作して、テコの原理により押圧板で果実等を圧搾することで、ジュースを搾り出すものであった。
【０００３】
【特許文献１】実用新案登録第３０７３４１９号公報
【考案の開示】
【考案が解決しようとする課題】
【０００４】
しかしながら、従来の手動ジューサでは、食物を押圧板で押圧するために固定把手と作動把手とによるテコの原理を利用するものであるが、例えば、比較的堅い食物の場合や、ある程度食物を圧搾した圧搾後半期には、固定把手及び作動把手に強い握り力を加える必要があった。よって、例えば、高齢者や女性、子供等の比較的力が弱い者は果実等を十分に搾ることが困難であり、食物中に汁分が残ってしまい、搾汁量の低下や、食物の無駄になる問題があった。さらに、容器体と作動把手及び同作動把手と押圧板等が軸支連結された構造であるので、例えば、中容器体の容器体への着脱や中容器体への食物の収納、或いは容器体に回収した搾り汁をコップ等に移し替える作業等の際に、作動把手や他の部材が邪魔になりやすく、使い勝手が悪かった。同時に、容器体や押圧板等が連結されているために各部材を洗いにくく、中容器体に付着した食物の搾りカスや搾り汁が残ってしまい不衛生になりやすい等の問題があった。
【０００５】
本考案は、上記従来の課題に鑑みてなされたものであり、その一つの目的は、例えば力が弱い人でも食物に十分に加圧力を作用させて確実に該食物を搾汁作業できるとともに、食物のセッティングや搾汁液を扱いやすく、さらには各部材の洗浄を簡便に行って衛生的に利用できる食物搾り器を提供することにある。
【課題を解決するための手段】
【０００６】
上記課題を解決するために本考案は、食物Ｍを内部に保持して加圧搾汁させる加圧搾汁容器１２と、加圧搾汁容器１２の搾汁を回収する回収容器１４と、加圧搾汁容器１２内の食物Ｍを加圧する加圧体１６と、加圧体１６を加圧駆動する加圧駆動装置１８と、を有し、加圧駆動装置１８は、ねじ込み入力により加圧体１６を加圧駆動させるねじ軸３４を備え、ねじ軸３４と加圧体１６とを着脱自在に連結する連結機構２０を有することを特徴とする食物搾り器１０から構成される。
【０００７】
また、連結機構２０は、ねじ軸３４の先端と加圧体１６とに設けられねじ軸３４の進出により雌雄嵌合状に着脱する雌雄嵌合部５６からなることとしてもよい。
【０００８】
また、加圧搾汁容器１２は回収容器１４に収容されるように一体的に組み付けられており、回収容器１４をねじ軸３４の軸線位置に挿入させる際に、雌雄嵌合部５６が軸線上に位置するように位置合わせする位置決め機構６２が設けられたこととしてもよい。
【０００９】
また、ねじ軸３４を軸線方向に進退移動自在に支持するとともに、加圧搾汁容器１２を収容した回収容器１４をねじ軸３４の軸線方向に対して直交方向に挿脱可能な開口４２を有する支持スタンド３６を備えたこととしてもよい。
【００１０】
また、加圧搾汁容器１２と加圧体１６と回収容器１４とは、互いに組み付け、分離自在に設けられたこととしてもよい。
【００１１】
また、加圧駆動装置１８は、ねじ軸３４をねじ込み回転操作する入力ハンドル６４が設けられたこととしてもよい。
【考案の効果】
【００１２】
本考案の食物搾り器によれば、食物を内部に保持して加圧搾汁させる加圧搾汁容器と、加圧搾汁容器の搾汁を回収する回収容器と、加圧搾汁容器内の食物を加圧する加圧体と、加圧体を加圧駆動する加圧駆動装置と、を有し、加圧駆動装置は、ねじ込み入力により加圧体を加圧駆動させるねじ軸を備え、ねじ軸と加圧体とを着脱自在に連結する連結機構を有することから、ねじ軸によるねじ込み入力により加圧体を加圧駆動させるので省力操作でも比較的大きな加圧力を生じさせることができる結果、力が弱い高齢者、女性、子供等であっても食物を確実かつ十分に加圧搾汁することができる。さらに、連結機構を介して加圧体と加圧駆動装置とを着脱できるので、加圧駆動装置から加圧体を分離させた状態で、例えば、食物を加圧搾汁容器内へセットしたり、回収容器に回収した搾汁のコップへ移し替えたり等の操作を行ないやすく使い勝手がよい。同時に、食物の搾りカスや搾汁液が付着した押圧体や加圧搾汁容器等を簡便に洗うことができ衛生的である。
【００１３】
また、連結機構は、ねじ軸の先端と加圧体とに設けられねじ軸の進出により雌雄嵌合状に着脱する雌雄嵌合部からなる構成とすることにより、雌雄嵌合部により連結機構を簡単な構造で具現できるとともに、ねじ軸の先端と加圧体とを確実に連結させて加圧力の伝達を確実に行なえる上、ねじ軸の進出、退避操作のみで連結分離操作を行えるので操作性が高い。
【００１４】
また、加圧搾汁容器は回収容器に収容されるように一体的に組み付けられており、回収容器をねじ軸の軸線位置に挿入させる際に、雌雄嵌合部が軸線上に位置するように位置合わせする位置決め機構が設けられたことにより、位置決め機構により回収容器を所定位置に挿入配置させるだけで略自動的に雌雄嵌合部の位置合わせを実現でき、操作性をより向上させ得る。
【００１５】
ねじ軸を軸線方向に進退移動自在に支持するとともに、加圧搾汁容器を収容した回収容器をねじ軸の軸線方向に対して直交方向に挿脱可能な開口を有する支持スタンドを備えた構成とすることにより、支持スタンドにねじ軸を安定的に支持した状態で、該ねじ軸と加圧体とを連結させて食物の加圧搾汁作業を行える。さらに、加圧搾汁容器及び加圧体を組み付けた回収容器をねじ軸の軸線位置への挿脱操作も簡単に行なえる。また、収納する際も場所をとらない。
【００１６】
また、加圧搾汁容器と加圧体と回収容器とは、互いに組み付け、分離自在に設けられた構成とすることにより、それぞれの部材を分離できるので、食物の容器内への収容や、回収容器に回収した搾汁液の他の容器への移し変え、使用後に押圧体や加圧搾汁容器等に付着した食物の搾りカスや搾汁液の清掃等を簡便かつ確実に行え、各部材を清潔に維持できる。
【００１７】
また、加圧駆動装置は、ねじ軸をねじ込み回転操作する入力ハンドルが設けられた構成とすることにより、入力ハンドルを手動操作してスムーズかつ確実にねじ軸を介した加圧体の加圧駆動、又は加圧解除操作を行える。
【考案を実施するための最良の形態】
【００１８】
以下、添付図面を参照しつつ本考案の食物搾り器の実施の形態について説明する。本考案の食物搾り器は、例えば、野菜や果実等の食物を押し潰すように加圧して該食物に含有される液分を取り出すものであり、含水食物の水抜き作業や漬け物の製造又は、ジュースの製造等の際に手軽に利用できる搾り器である。図１ないし図９は、本考案の食物搾り器の一実施形態を示している。図１、図２に示すように、本実施形態において、食物搾り器１０は、加圧搾汁容器１２と、回収容器１４と、加圧体１６と、加圧駆動装置１８と、連結機構２０と、を有している。
【００１９】
回収容器１４は、加圧搾汁容器１２で加圧搾汁されて取り出される搾汁液を回収する容器である。図１、図２、図３に示すように、本実施形態では、回収容器１４は、例えば、ステンレス等の金属製で上面を開口し内部に搾汁液を回収する空間及び加圧搾汁容器１２を収容する空間を一体的に形成した有底の円筒状容器からなる。回収容器１４には、側壁から外部側に向けて横方向に突出した取っ手２２が設けられている。なお、取っ手２２は取付けなくても良い。また、回収容器１４には、上端縁部側の一部を加工して注ぎ口が設けられていても良い。
【００２０】
加圧搾汁容器１２は、食物Ｍを内部に保持し該食物を加圧搾汁させる濾し容器であり、加圧体１６と協働して加圧搾汁手段を構成する。図１、図２、図３に示すように、本実施形態では、加圧搾汁容器１２は、例えば、ステンレス等の金属から形成され、回収容器１４内に嵌合状に収容可能な短円筒状の有底の容器体からなり、複数の貫通孔２８を有した底部２４と、該底部２４の円周縁部に沿って立ち上がる側壁２６と、を含む。底部２４は、食物Ｍを保持しつつ加圧搾汁された搾汁液を回収容器１４に通すため複数の貫通孔２８が設けられている。底部２４は、例えば、図４に示すような貫通孔２８としてメッシュ孔を形成した金網部材２５又は貫通孔としてパンチ孔等を穿孔した円板部材からなり、回収容器１４の内径より小さく設けられている。側壁２６は、例えば回収容器１４の高さの略半分程度の高さで設けられている。加圧搾汁容器１２を回収容器１４に収容させた際には、側壁２６と内壁との間には若干の空隙が形成される。側壁２６の上端縁部には、外側に向けて張り出したフランジ部２７が設けられている。フランジ部２７は、外径が回収容器１４の外径と略同じに設定されており、該加圧搾汁容器１２を回収容器１４内部に嵌合状に収容させた際に、該フランジ部２７が回収容器１４の上縁部に係止されて、一体的に組み付けられる。加圧搾汁容器１２の下方側の回収容器１４の底部側が搾汁液の回収空間となる。本実施形態では、加圧搾汁容器１２の金網部材２５と側壁２６とは分離可能であり、側壁２６の下端部から内向きに突設された受部２６ａに金網部材２５を着脱可能に係止される。これにより、使用後に洗う際に、金網部材２５に付着した食物の搾りカスや搾汁液等を洗い落としやすく、衛生的である。なお、また、加圧搾汁容器は底部２４と側壁２６とが一体的になっていても良い。また、例えば、パンチ孔が形成された円板体からなる底部２４と側壁２６とを一体的に形成し、該底部の上に着脱自在に金網部材を載置する構成でもよい。図２、図３に示すように、側壁２６にも複数の貫通孔２９が設けられている。基本的には底部２４に貫通孔が設けられていればよいが、底部側に加えて側壁２６にも貫通孔２９が設けられたことにより、加圧搾汁容器１２内で加圧搾汁された際に、該加圧搾汁容器内に溜まる搾汁液を回収容器１４内にスムーズに効率良く通すことができる。よって、外部にこぼれたり、搾汁液が食物に再度付着、吸収されたりしにくく、無駄なく回収容器に回収できる。
【００２１】
加圧体１６は、加圧搾汁容器１２内に保持される食物Ｍを加圧する加圧作用部材である。図１、図２、図３に示すように、本実施形態では、加圧体１６は、例えば、ステンレス等の金属から形成されており、加圧搾汁容器１２内に嵌合状に配置される加圧板３０と、該加圧板３０に一体的に接続された縦軸部３２と、を含む。加圧板３０は、例えば、加圧搾汁容器１２の内径よりも若干小さい径の金属円盤部材からなる。縦軸部３２は、加圧板３０の上面側の中心に加圧板に垂直して立設している。縦軸部３２は、連結機構２０の一部を構成しており、加圧駆動装置１８と着脱自在に連係される。図６に示すように、加圧体１６は、加圧搾汁容器１２内に配置させつつ加圧搾汁容器１２内に保持された食物の上に載置させて組む付けられた状態で、連結機構２０を介して加圧駆動装置１８に連結され、上方側から加圧駆動装置１８により加圧駆動されて加圧搾汁容器１２の底部２４に対して近接するように移動しながら該加圧搾汁容器１２と協働して食物Ｍを押し潰すように加圧搾汁する。なお、例えば、加圧体１６の加圧面側に凹凸が設けられていても良い。
【００２２】
加圧駆動装置１８は、加圧体１６を加圧駆動する加圧駆動手段であり、ねじ込み入力により加圧体を加圧駆動させるねじ軸３４を備えている。ねじ軸３４によりねじ込み入力するので、比較的小さな操作力でも加圧体１６に大きな加圧力を生じさせることが可能であり、従来のようなテコの原理を利用したものに比べて比較的弱い力でも食物を確実かつ十分に搾汁することができる。本実施形態では、ねじ軸３４は、図１、図２に示すように、軸線方向を縦に配置させた状態で支持スタンド３６により所定の高さ位置に支持されている。支持スタンド３６は、図７、図８、図９にも示すように、例えば、ねじ軸３４を上下方向に螺進退するように螺合する雌ねじ部３８が上部側に一体的に設けられるとともに、ねじ軸３４を支持した真下位置に加圧搾汁容器１２等を収容した回収容器１４を格納状に収容配置させる側面開放の容器型構造となっている。支持スタンド３６は、例えば、回収容器１４が載置される円板状の台部４０と、横方向に開口４２を形成しながら台部の半円弧縁部から立ち上がる横断面半円弧状の側壁部４４と、台部４２の上方に離隔対向するように側壁部４４の上端側に接続された天蓋部４６と、を有している。台部４０、側壁部４４、天蓋部４６は、例えば、それぞれ金属板等を切断、湾曲等加工して形成され、溶接等により固定されている。台部４０は、回収容器１４の径より若干大きな径のやや厚みのある金属円板体で設けられている。側壁部４４は、例えば、回収容器１４よりも高い高さで、回収容器１４の外径と略同じ内径となる横断面半円弧状の湾曲板部材に設けられており、開口４２を介して挿入させた回収容器１４を嵌合状に受け入れる。この側壁部４４は、後述の位置決め機構６２を構成している。天蓋部４６には、内部に雌ねじ部３８が形成された円筒状の長ナット４８が縦に貫通して配置されている。長ナット４８は軸方向中間位置に固定される円環部４９をビス５０を介して天蓋部４６に固定されている。図５に示すように、回収容器１４を開口４２を介して横方向に、すなわち縦に配置されたねじ軸３４の軸線方向に対して直交方向に挿脱できるようになっている。この回収容器１４の支持スタンド３６への横移動操作により、回収容器１４がねじ軸３４の直下の軸線位置、すなわち、ねじ軸と加圧体とが位置合わせされた位置に配置される。なお、支持スタンド３６は、本実施形態の構造に限らず、例えば、側壁部に変えて支柱を立設した構造やフレーム構成等その他任意の構成でもよい。ねじ軸３４は、図２に示すように、軸方向中間位置より上部側には雌ねじ部と螺着する雄ねじ部５２が形成されているが、下部側には支持スタンド３６の雌ねじ部３８と螺着しない非ねじ部４８が形成されている。ねじ軸３４の一部に非ねじ部５４が形成されていることにより、例えば、後述の連結機構２０によるねじ軸３４と加圧体１６との着脱操作時等の比較的力を必要としない状態で、ねじ軸３４の上下進退操作を簡便かつ省力に行え操作性が良い。なお、ねじ軸３４は全てに雄ねじ部が形成されていてもよい。
【００２３】
連結機構２０は、ねじ軸３４の先端と加圧体１６の縦軸部３２とを雌雄嵌合状に着脱する雌雄嵌合部５６からなる。図２に示すように、本実施形態では、ねじ軸３４の下端側に加圧体１６の縦軸部３２の上端部を雌雄嵌合状に受け入れる凹部５８を形成するようにねじ軸に固定された軸方向に短い長さの係合短筒部６０が取り付けられており、ねじ軸３４とともに一体的に上下進退移動する。ねじ軸３４と、加圧体１６の縦軸部３２と、を軸線上に位置させた状態で、該ねじ軸３４を加圧体１６側に進出することにより、ねじ軸下端の係合短筒部６０の凹部５８と加圧体の縦軸部３２の上端が雌雄嵌合状に連結される。逆に、ねじ軸３４を加圧体１６に対して退避させるとねじ軸３４と加圧体１６の縦軸部３２とが分離される。連結機構２０を介して加圧体１６と、加圧駆動装置１８と、を着脱自在に分離できるので、例えば、食物を加圧搾汁容器内へセットしたり、回収容器に回収した搾汁のコップへ移し替えたり等の操作等の際に、他の部材等が邪魔になりにくく、極めて使い勝手がよい。なお、連結機構２０は、ねじやロック部材等その他任意の構成でもよい。を行ないやすく使い勝手がよい。同時に、食物の搾りカスや搾汁液が付着した押圧体や加圧搾汁容器等を簡便に洗うことができ衛生的である。
【００２４】
本実施形態では、回収容器１４をねじ軸３４の軸線位置に挿入させる際に、雌雄嵌合部５６が、すなわちねじ軸３４の下端部と加圧体１６の縦軸部３２とが、軸線上に位置するように位置合わせする位置決め機構６２が設けられている。位置決め機構６２は、例えば、ねじ軸３４を支持する支持スタンド３６に一体的に設けられており、側壁部４４が位置決め機構６２を構成している。上述のように側壁部４４の内面側４４ａに回収容器１４が嵌合状に収容されることとなっており、開口４２から挿入した回収容器１４が側壁部の内面４４ａに突き当たる位置で嵌合状に格納され、該回収容器１４に加圧搾汁容器１２とともに汲みつけられている加圧体１６の縦軸部３２とねじ軸３４との軸線が位置合わせされるように、該側壁部４４と天蓋部に支持されるねじ軸３４との位置が設定されている。これにより、加圧搾汁容器１２を収容して組み付けた回収容器１４を支持スタンド３６の横方向の開口４２から側壁部内側へ突き当たり位置まで挿し入れるだけで自動的にかつ確実に雌雄嵌合部５６の位置合わせが行われるので、使い勝手が良い。
【００２５】
図１、図２に示すように、ねじ軸３４の上端部には、該ねじ軸のねじ込み回転入力操作すなわち、ねじ軸３４を軸線回り回転操作するための入力ハンドル６４が設けられている。入力ハンドル６４は、例えば、ねじ軸３４の軸線方向に対して直交方向に接続される丸杆部材を含む。入力ハンドル６４は、長手方向両端部には拡径されているとともに、長手方向に自在にスライドできるようになっており、長さを自在に調節できる。なお、入力ハンドルは、ねじ軸に対してＴ字状、Ｌ字状に固定されてもよく、また長手方向に伸縮できる構成や、環状の丸ハンドル、着脱自在な構成等、その他任意の構成でもよい。
【００２６】
次に、本実施形態に係る食物搾り器１０の作用について説明する。例えば、回収容器１４内に加圧搾汁容器１２を収容させ、フランジ部を介して係止させる。加圧搾汁容器１２内に、例えば、キャベツ等の野菜又はミカンやぶどう、びわ等の果物等、搾る対象の食物Ｍを入れる。なお、食物は必要に応じて小さくカットしておくとよい。加圧体１６を食物Ｍの上に載せるように配置して、回収容器１４、加圧搾汁容器１２、加圧体１６、を一体的に組み付ける。このように組み付けた回収容器１４を図５に示すように、支持スタンド３６のねじ軸３６位置合わせ位置に配置させ、連結機構２０を介してねじ軸と加圧体とを連結させる。該回収容器をねじ軸３４の軸線位置に挿入させる際には、支持スタンド３６の開口４２から、横方向に回収容器を挿入し、支持スタンド３６の側壁部４４に突き当てる。この側壁部４４へ突き当たった位置でねじ軸と加圧体の縦軸部とが自動的に軸線上位置に位置合わせされた状態となる。そして、ねじ軸３４を加圧体側に進出させて雌雄嵌合部５６によりねじ軸３４と加圧体１６とを連結する。これにより、細かな調整が不要で簡便に位置合わせできる。入力ハンドルを介してねじ軸３４を加圧体側に進出させた後、雄ねじ部５２と支持スタンド３６の雌ねじ部３８とを螺合させてねじ込み入力操作することにより、加圧体が食物Ｍを押し潰すように加圧搾汁する。搾汁された食物は加圧搾汁容器内部に固形分を保持しつつ、搾汁液が貫通孔２８，２９を介して回収容器１４内に回収される。ねじ軸３４によりねじ込み入力するので、比較的小さな操作力でも加圧体１６に大きな加圧力を生じさせることが可能であり、例えば、高齢者や障害者、女性、子供等の比較的弱い力でも食物を確実かつ十分に搾汁することができる。搾汁作業後には、入力ハンドル６４を介してねじ軸を上方に退避させて連結機構２０による連結を解除し、回収容器１４を支持スタンドから開口を介して離脱させる。例えば、野菜等の水抜きの目的の場合には、搾られた食物を取り出し、ジュース作成等の目的の場合には搾汁液を回収容器から取り出して、飲食する。加圧搾汁容器１２、加圧体１６、回収容器１８はそれぞれ分離して、水洗い等して清潔にした状態で、保管又は再利用できる。
【００２７】
以上説明した本考案の食物搾り器は、上記した実施形態のみの構成に限定されるものではなく、実用新案登録請求の範囲に記載した本考案の本質を逸脱しない範囲において、任意の改変を行ってもよい。
【産業上の利用可能性】
【００２８】
本考案の食物搾り器は、例えば、種々の野菜や果物等の食物を手軽に搾汁できる。
【図面の簡単な説明】
【００２９】
【図１】本考案の実施形態に係る食物搾り器の側面図である。
【図２】図１のＡ−Ａ線断面図である。
【図３】図１の加圧体と加圧搾汁容器と回収容器とを分離した状態の説明図である。
【図４】加圧搾汁容器の平面図である。
【図５】組み付けた回収容器を支持スタンドに挿脱する際の説明図である。
【図６】加圧搾汁する際の作用説明図である。
【図７】Ｂ−Ｂ線断面図である。
【図８】支持スタンドの上部側の断面説明図である。
【図９】支持スタンドのＢ−Ｂ線断面図である。
【符号の説明】
【００３０】
１０    食物搾り器
１２    加圧搾汁容器
１４    回収容器
１６    加圧体
１８    加圧駆動装置
２０    連結機構
３４    ねじ軸
３６    支持スタンド
５６    雌雄嵌合部
６２    位置決め機構
６４    入力ハンドル
Ｍ    食物
【図１】
0003143824.tif 000003
【図２】
0003143824.tif 000004
【図３】
0003143824.tif 000005
【図４】
0003143824.tif 000006
【図５】
0003143824.tif 000007
【図６】
0003143824.tif 000008
【図７】
0003143824.tif 000009
【図８】
0003143824.tif 000010
【図９】
0003143824.tif 000011